(57)【要約】　　　（修正有）【課題】　道路と水田または畑地の高低差の傾斜法面に使用する路肩ブロックと超軟弱水田を考慮した製品の提供。【解決手段】　法面勾配部を化粧模様を重ねて滑り止め多段横溝３と溝間も凹凸ランダムすべり止め模様３−１で型成し底部には掻き上がり滑り止め傾斜面１−１を構成しての製品立ち上がり寝いれ部を天端部には道路舗装取り付け水平部を構成してなる法面路肩ブロックＡとし、超軟弱水田では踏張版ブロックＡ１と一体構成とする。【選択図】　図２
0003100431.tif 000002
【実用新案登録請求の範囲】
【請求項１】
道路と水田又は畑地の高低差に使用する法面路肩ブロック構築に於いて傾斜をなす法面勾配部を化粧模様を兼ねて滑り止め多段横溝と溝間も凹凸ランダム滑り止め模様で型成し底部には掻き上がり滑り止め傾斜面を構成しての製品立ち上がり根入れ部を天端部には道路舗装取り付け水平部を構成してなる法面路肩ブロック。
【請求項２】
道路と超軟弱水田の法面路肩ブロック構築に於いて農作業機械の昇降時の滑り止め防止の手段を構成し天端は水平又は水田方向に傾斜面としてなる踏ん張り版ブロックを地中に埋設し請求項１の製品と合設して一体としてなる超軟弱水田用法面路肩ブロック。
【考案の詳細な説明】
【技術分野】
【０００１】
　本考案は、道路と水田または畑地の傾斜面に使用する法勾配１：３〜１：６のコンクリートプレキャスト法面路肩ブロック製品と超軟弱水田に使用する法面路肩ブロックに関するものである。
【背景技術】
【０００２】
　従来の法面路肩に使用するコンクリート製品と工法には次の様な製品と工法が有った。
【０００３】
田面または畑地に根入れ部の無い製品で有って、スベリ止め構成部のある製品。
【特許文献１】特開平９−２４８０７３号
【０００４】
（２）この製品も本考案者の一人が考案したる軟弱圃場地の輪郭構築コンクリートブロック等が有った。
【特許文献２】登録実用新案公報　第３００４２１４号
【０００５】
（３）工法では、法面をアスファルトかコンクリート舗装あるいはコンクリートブロック張り等が有った。　
【０００６】
　しかし上記製品と工法には次の様な課題と欠点が有った。
【０００７】
〔１〕　（１）の要所に歯形（ノコギリ状）のスベリ止め構成部は有ったが法勾配の延長で水田に差し込みする為に材料を多く（高低差に合わした製品の継ぎ増し）必要としたばかりか田植え等の機会の歯が機械に触れ破損する欠点と耕作面積（稲や豆の植えられる面積）の狭く成る欠点も有った。
【０００８】
〔２〕　（２）の製品には水田面に根入部が有ったが根入部が垂直で深かったために背面が空洞になり空洞に水が溜まる課題と根入部が直角に曲っているため運搬と施工が大変なばかりか、土質により（特に秋田県八郎潟周辺の泥炭質）耕作機械の昇降が困難な事も時々生じ特に水稲時の代掻（水田に水を満たし攪拌水田を柔らかくする）時に機械が泥濘（ぬかるみ）に車輪が埋まり法面に登れない欠点も有った。
【０００９】
〔３〕　（３）のアスファルトやコンクリート舗装ですと法面が滑らない様にするために転圧仕上げが大変で、これも（１）同様に法勾配の延長で水田に差し込みする為に田植え等の機会の歯が機械に触れ破損する欠点と耕作面積（稲や豆の植えられる面積）の狭く成る欠点も有ったしアスファルトでは雨天時や田植え時に法面が濡れるとアスファルトの油が表面を流れ食料生産地の工法としては違和感があったし、コンクリート舗装でも法面仕上げに苦労し天気で乾燥が続くとコンクリート厚さが足りないと法面にひび割れが発生する欠点も有った。
【００１０】
　そこで、本件考案者達は、従来のプレキャスト製品の製造と豊富な体験実績から、これらの製品の問題点を熟知して本考案の課題を解決するために数種類の試作品を製造し検討の結果この出願考案を完成した。
【考案の開示】
【考案が解決しようとする課題】
【００１１】
（１）耕作面積を広くするために道路と水田又は畑地の高低差が大きくとも製品の施工時に法勾配の延長で水田又は畑地に法面延長差し込みしない製品とする。
【００１２】
水田又は畑地より機械が昇降する時容易に昇降出来る事に加え雨天時（田植時で濡れている時）でも農業従事者が製品勾配法面の昇降で滑って転倒怪我が無いような製品とする。
【００１３】
（３）超軟弱水田でも耕作機械が容易に昇降出来る製品構成も考える事。
【００１４】
（４）道路と水田又は畑地との高低差が大きく成った場合の事も考慮した製品とする。
【課題を解決するための手段】
【００１５】
基本的に法面路肩ブロック製品は法面１枚での水田又は畑地の延長方向に隣接接合とし、地中埋設部に勾配を有して掻き上がり滑り止め傾斜面を有して根入れ部を設けて法面には滑り止めの多重横溝を設け溝間にも凹凸ランダム滑り止め模様構成製品とし天端部には道路取り付け水平部を構成し、超軟弱水田では地中に農業耕作機械の踏張版を設けて法面路肩ブロックと一体構成してなる超軟弱水田用法面路肩ブロック。
【００１６】
　この発明の「解決しようとする課題」と「解決するための手段」を上記の如くにする事により、次の様な発明の効果がある。
【考案の効果】
【００１７】
（１）本考案製品は従来の代表的製品の様に法面勾配の延長で地中に差し込みしていないので、耕作機械の歯が地中の製品に触れる事も無く耕作面積（稲や豆等の収穫面積）も大きく（仮に法面勾配１：５で機械で耕す深さを１５０ｍｍとすると８０ｃｍで機械の歯が当たる）確保される利点を有する。
【００１８】
（２）〔０００４〕の製品の様に根入部が垂直で深くないので背面が空洞になり空洞部に水が溜まる課題は解決され、根入部が直角に曲っていないために運搬と施工にあまり苦労が無く、滑り止め構成の掻き上がり傾斜面を有しているので、作業機械の昇降も容易であり、滑り止めとして多段横溝と溝間にも凹凸ランダム滑り止め模様を構成しているので農作業従事者も法面が濡れている時でも滑り転倒し怪我する事も無い。
【００１９】
（３）アスファルト舗装の様に雨天時や田植え時に法面が濡れるとアスファルトの油が表面を流れ出る事も無く、コンクリート舗装の様に厚さが足りないと法面にひび割れが発生する事も無い。
【００２０】
（４）　製品の多段横溝と溝間にも凹凸ランダム滑り止め模様を構成し底部には掻き上がり滑り止め傾斜面を構成しての製品立ち上がり根入れ部を天端部には道路舗装取り付け水平部を構成している事は技術的にも安定感を与え美観を伴うばかりか草刈り等の維持管理が不要である。
【００２１】
　この発明の実施するための最良の形態と実施例を下記に説明する。
【考案を実施するための最良の形態】
【００２２】
（１）この考案製品は、基本的に法面に１枚で延長方向に連結される事が望ましく道路と水田又は畑地の高低差の大きい現場では、道路と製品間にアスファルトか現場打設コンクリートで調整仕上げされる事が望ましい。
【００２３】
（２）　水稲水田でも耕作機械の歯が製品に接触しない事が望ましい。
【００２４】
（３）秋田県八郎潟周辺の様な泥炭質（ｐｅａｔ）の様な超軟弱土質水田でも耕作機械が昇降出来る製品構築である事が望ましい。
【００２５】
法面に雑草が繁茂せず維持管理が不要で美観を伴う製品である事が望ましい。
【実施例１】
【００２６】
　図１はこの考案の標準製品の断面概要図であり、図２は超軟弱土質水田に使用する踏張版（ふんばりばん）ブロックを合設一体として構築してなる実施例の断面概要図であり、図３は標準製品の施工断面概要図であり、図４は天端部の水平部をカッテングし側溝に取り付け施工現場の断面概要図であり、Ａは法面路肩ブロックを、Ａ−１は踏張版ブロックを、Ｂは天端の水平部をカッテングし側溝に取り付ける法面路肩ブロックを、Ｃは側溝を、Ｄは水稲を、Ｅは水田を、Ｆ道路を、Ｇは基礎材を、１は根入れ部を、１−１は 掻き上がり滑り止め傾斜面を、１−２は滑り止めを、２は天端水平部を、３は滑り止め多段横溝を、３−１は法面の滑り止め凹凸ランダム模様を、４はジョイント開口部を、５は吊り手を兼ねたジョイントフックをそれぞれ示す。
【実施例２】
【００２７】
　この考案の請求項１を説明すると、道路と水田又は畑地の高低差に使用する法面路肩ブロック構築に於いて傾斜（通常で法勾配１：３〜１：６）をなす法面勾配部を化粧模様を兼ねて滑り止め多段横溝３と溝間も凹凸ランダム滑り止め模様３−１で型成し底部には掻き上がり滑り止め傾斜面１−１を構成しての製品立ち上がり根入れ部１を天端部には道路舗装取り付け水平部２を構成してなる法面路肩ブロックＡするものである。
【００２８】
　次に請求項２を説明すると、道路と超軟弱水田の法面路肩ブロック構築に於いて農作業機械の昇降時の手段として滑り止め１−２を設けた踏張版ブロックＡ−１とした製品を法面路肩ブロックＡと組み合わせ使用する。
【図面の簡単な説明】
【００２９】
【図１】は標準製品の断面概要図。
【図２】は超軟弱土質水田に使用する踏張版（ふんばりばん）ブロックを合設一体として構築してなる実施例の断面概要図。
【図３】は標準製品の施工概要斜視図。
【図４】は天端部の水平部をカッテングし側溝に取り付け施工現場の断面概要
【符号の説明】
【００３０】
　　　　Ａ　法面路肩ブロック
　　　　Ａ−１　踏張版ブロック
　　　　Ｂ　天端の水平部をカッテングし側溝に取り付ける法面路肩ブロック
　　　　Ｃ　側溝
　　　　Ｄ　水稲
　　　　Ｅ　水田
　　　　Ｆ　道路
　　　　Ｇ　基礎材
　　　　Ｈ　作業機械（車輪）
　　　　１　根入れ部
　　　　１−１　掻き上がり滑り止め傾斜面
　　　　２　天端水平部
　　　　３　滑り止め重複横溝
　　　　３−１　溝間の滑り止め凹凸ランダム模様
　　　　４　ジョイント開口部
　　　　５　吊り手を兼ねたジョイントフック
【図１】
0003100431.tif 000003
【図２】
0003100431.tif 000004
【図３】
0003100431.tif 000005
【図４】
0003100431.tif 000006